(57)【要約】【課題】  回動アームの振動を防止して振動特性のよい光ディスク装置を提供する。【解決手段】  積層収納されている複数の光ディスク１２から所望の光ディスク１２を選択し、この所望の光ディスク１２に対して設けられた作業空間に回動アーム３０を回動させターンテーブル３１を位置決めし、光学ヘッド３４を移動させて記録再生を行う。このとき、片持ち構造の回動アーム３０の先端部を、光ディスク１２の軸線ＣＬに沿って伸びる支持部材４０によって支持するので両持ち構造となり、回動アーム３０の振動を防止することができる。なお、支持部材４０は光ディスク１２の軸線ＣＬに沿って伸びるため、途中にある光ディスク１２の中心の保持穴１２ａおよびトレイ２０の中心に設けられている切欠き２２に干渉しないように貫通して回動アーム３０を支持することになる。【選択図】  図３
2006031810.tif 000002
【特許請求の範囲】
【請求項１】
先端部に光ディスクを回転するターンテーブルを有し前記光ディスクに対して記録再生を行う光学ヘッド部を移動可能に支持するとともに前記光ディスクのディスク面と略垂直な支軸を中心として待機位置と演奏位置との間を回動可能な回動アームを備えた光ディスク装置であって、
前記回動アームを前記本体に支持する支持部材を設け、前記回動アームが前記演奏位置に位置した際に前記回動アームは前記支軸と異なる位置で前記本体に支持される光ディスク装置。
【請求項２】
前記支持部材は前記支軸と略並行な方向に伸縮可能な請求項１記載の光ディスク装置。
【請求項３】
前記支持部材は前記演奏位置における前記アームの先端部を前記本体に支持する請求項１または請求項２記載の光ディスク装置。
【請求項４】
前記支持部材が、前記本体から前記回動アームに向かって伸び、前記回動アームに接触する接触面を有する請求項２または３記載の光ディスク装置。
【請求項５】
前記支持部材と前記回動アームとを係合する係合部材を有した請求項１乃至４のいずれか記載の光ディスク装置。
【発明の詳細な説明】
【技術分野】
【０００１】
本発明は、光ディスクへの情報記録および光ディスクに記録された情報再生のうち少なくとも一方を行う光ディスク装置に関するものである。
【背景技術】
【０００２】
従来より、光ディスクへの情報記録および光ディスクに記録された情報再生のうち少なくとも一方を行う光ディスク装置のひとつとして、複数枚の光ディスクを装置の本体内部に収納しておき、所望の光ディスクを選択して記録再生する多連装型の光ディスク装置が開発されている（例えば特許文献１参照）。
一般に、複数のトレイに収納された複数の光ディスクから、所望の光ディスクを選択して記録再生する多連装型の光ディスク装置においては、所望の光ディスクが選択されたら、この光ディスクに対して記録再生を行うための作業空間を形成する。そして、光ディスクを回転させるターンテーブルおよび記録再生を行う光ピックアップを作業空間に挿入するために、ターンテーブルおよび光ピックアップを備えた回動アームを回動させて作業空間に挿入する。
【特許文献１】特開平１１−４５４９０号公報（図７）
【発明の開示】
【発明が解決しようとする課題】
【０００３】
前述したように、回動アームは、ターンテーブルが設けられている先端が自由端である片持ち構造となっている。
このため、外部から振動が作用すると、回動アームの先端は振動しやすく、従来の光ディスク装置においてはターンテーブルおよび光ピックアップが振動するので、音飛びが発生するなど振動特性が良くないという問題があった。
【０００４】
本発明は、従来の課題を解決するためになされたもので、回動アームの振動を防止して振動特性のよい光ディスク装置を提供することを目的とする。
【課題を解決するための手段】
【０００５】
本発明の光ディスク装置は、先端部に光ディスクを回転するターンテーブルを有し前記光ディスクに対して記録再生を行う光学ヘッド部を移動可能に支持するとともに前記光ディスクのディスク面と略垂直な支軸を中心として待機位置と演奏位置との間を回動可能な回動アームを備えた光ディスク装置であって、
前記回動アームを前記本体に支持する支持部材を設け、前記回動アームが前記演奏位置に位置した際に前記アームは前記支軸と異なる位置で前記本体に支持される構成を有している。
【０００６】
この構成により、片持ち構造の回動アームが支軸と異なる位置で本体に支持されるため、回動アームの振動を防止することができ、振動特性を改善することができる。
【０００７】
また、本発明の光ディスクは、前記支持部材は前記支軸と略並行な方向に伸縮可能な構成を有している。
【０００８】
この構成により、支持部材を縮めてスペースを確保することができるため、装置の小型化あるいは薄型化が可能となる。
【０００９】
また、本発明の光ディスクは、前記支持部材は前記演奏位置における前記アームの先端部を前記本体に支持する構成を有している。
【００１０】
この構成により、回動アームの支軸と先端部とで回動アームを支持することができるため、ターンテーブル近傍における耐振動性をより向上することができる。
【００１１】
また、本発明の光ディスクは、前記支持部材が、前記本体から前記回動アームに向かって伸び、前記回動アームに接触する接触面を有する構成を有している。
【００１２】
この構成により、回動アームと支持部材とが面接触しているため、回動アームの安定性が向上し、回動アームの対振動性がより向上することとなる。
【００１３】
また、本発明にかかる光ディスク装置は、前記支持部材と前記回動アームとを係合する係合部材を有した請求項２乃至４のいずれか記載の光ディスク装置。
【００１４】
この構成により、支持部材を回動アームに確実に固定することができるため、上下方向において耐振動性能を向上することができる。
【発明の効果】
【００１５】
本発明は、回動アームを本体に支持する支持部材を設けることにより、片持ち構造の回動アームの先端部を支持して両持ち構造とするので、回動アームの耐振動性能を向上することができるという効果を有する光ディスク装置を提供することができるものである。
【発明を実施するための最良の形態】
【００１６】
以下、本発明の実施形態の光ディスク装置について、図面を用いて説明する。
図１には、本発明の実施形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する制御部５が設けられている。
【００１７】
図２には、カーオーディオ装置１に内蔵されている本発明の第１実施形態である光ディスク装置１０Ａの、図１中II−II位置から見た平面図が示されている。
図２に示すように、本発明の実施形態の光ディスク装置１０Ａでは、複数の光ディスク１２を内部に収納可能な本体１３と、この本体１３の内部において各光ディスク１２を個別に保持する積層された複数のトレイ２０と、先端に光ディスク１２を挟持して回転するターンテーブル３１を有し光ディスク１２に対して記録再生を行う光学ヘッド部３２を移動可能に支持するとともに各トレイ２０の積層方向と平行な支軸３２を中心として回動可能な回動アーム３０とを備えている。そして、光ディスク１２の軸線ＣＬに沿って伸びて回動アーム３０の先端部を本体１３に支持する支持部材４０を設けた。ここで、光ディスク１２の軸線ＣＬとは、トレイ２０に載置された光ディスク１２の略中心を通過し、複数のトレイ２０の積層方向と並行な方向に延在する仮想軸線である。
【００１８】
図２に示すように、本体１３内部におけるトレイ２０の近傍（図２中右側）には、先端に光ディスク１２を挟持して回転するターンテーブル３１を有する回動アーム３０が、支軸３２を中心として回動可能に設けられている。回動アーム３０のサスシャーシ３３には、光学ヘッド部３４が支軸３２とターンテーブル３１の中心とを結ぶ方向に沿って往復移動可能に設けられており、光学ヘッド部３４は駆動モータ３５によって回転されるリードスクリュ３６と螺合しているため、リードスクリュ３６の回転によって移動するようになっている。
【００１９】
挿脱口１１の本体１３内側には、上下対を成す搬送ローラ１４が設けられており、挿脱口１１に挿入された光ディスク１２を搬入したり、記録再生が完了した光ディスク１２を挿脱口１１から排出するようになっている。
また、トレイ２０には、光ディスク１２を保持する円形の保持部２１が設けられており、保持部２１の内側には円形の切欠き２２が設けられている。従って、トレイ２０に収納されている光ディスク１２の中央に設けられている保持穴１２ａは、上下に貫通可能となっている。
【００２０】
図３（Ａ）および（Ｂ）には、支持部材４０の第１の実施形態が示されている。この支持部材４０Ａは、記録再生位置に位置決めされた状態における回動アーム３０のターンテーブル３１の真下の本体１３に設けられており、複数（ここでは、例えば７個）の円筒形状のリング状部品４１ａ、４１ｂ、‥、４１ｇが多重に重ねられて構成されている。各リング状部品４１の高さは略一定であり、中央部分には伸長時に回動アーム３０のサスシャーシ３３の下面に接触する接触面４２ａを有する支持板４２が設けられている。
なお、支持部材４０は光ディスクの軸線ＣＬに沿って伸縮可能であるため、途中にある光ディスク１２の中心の保持穴１２ａおよびと例２０の中心に設けられている切欠きに干渉し内容に貫通して回動アーム３０を支持することになる。
さらに、支持板４２は、少なくとも光ディスク１２の保持穴１２ａの直径よりも小さいサイズとして、保持孔１２ａを容易に貫通することができるようにする。
【００２１】
図３（Ａ）に示すように、伸長前の待機状態では、高さの低い平板状となっていて、トレイ２０や回動アーム３０と干渉しないようになっている。
一方、最も外側にあるリング状部品４１ａを図示省略の駆動手段により回転させると、図３（Ｂ）に示すように、内側に向かって段々に上方に突出して、中間位置にあるリング状部品４１ｄが光ディスク１２の軸線ＣＬに沿って上方へ伸長する。
従って、回動アーム３０が上下方向に移動する場合には、リング状部品４１ａの回転量を制御して、容易に高さ調整を行うことができる。この支持状態では、最上段のリング状部品４１ｄに設けられている支持板４２の接触面４２ａが、回動アーム３０のサスシャーシ３３の下面３３ａに接触して回動アーム３０を支持する。
【００２２】
このような本発明の第１の実施形態の光ディスク装置１０Ａによれば、リング状部品４１が光ディス１２の軸線ＣＬに沿って伸びて回動アーム３０のサスシャーシ３３の先端部下面を支持するので、片持ち構造の回動アーム３０の先端部を支持して両持ち構造とすることができる。
このため、回動アーム３０の振動を防止することができ、振動特性を改善するので、ターンテーブル３１の回転および光学ヘッド部３４の移動を適正に行うことができ、記録再生を正常に行うことができる。
【００２３】
なお、上述した第１実施形態においては、支持部材４０Ａが回動アーム３０のサスシャーシ３３を単に支持する場合について説明したが、リング状部品４１ｇを回転させることにより支持板４２を回転可能とし、支持面４２ａとサスシャーシ３３下面とを固定する固定手段を設けるようにしてもよい。この場合には、回動アーム３０の上方への移動も抑制することができる。
【００２４】
次に、本発明の第２実施形態の光ディスク装置１０Ｂを図に基づいて説明する。
なお、前述した第１実施形態の光ディスク装置１０Ａと共通する部位には同じ符号を付して、重複する説明を省略することとする。
第２実施形態にかかる支持部材４０Ｂは、図５、図７、図９に示すように、円筒形状をした筐体４３の中心に駆動モータ４７によって回転される回転体４４を設け、筐体４３の内周面と回転体４４の外周面との間の隙間に円筒形状をした支持体４５を上下移動可能かつ回転可能に設けている。
また、支持体４５の上面には、頭部４６ａと首部４６ｂを有する係止部４６が設けられている。
【００２５】
図５、図７、図９に示すように、回転体４４の外周面にはカム溝４４ａが形成されており、筐体４３の内周面にもカム溝４３ａが設けられている。
一方、支持体４５の内周面および外周面にはカム突起４５ａ、４５ｂが設けられている。支持体４５の内周面に設けられているカム突起４５ａは回転体４４に設けられているカム溝４４ａに移動可能に嵌入しており、支持体４５の外周面に設けられているカム突起４５ｂは筐体４３に設けられているカム溝４３ａに移動可能に嵌入している。
【００２６】
図４、図６、図８に示すように、回動アーム３０のサスシャーシ３３の先端部には、支持部材４０Ｂの支持体４５に設けられている係止部４６を係止する切欠き３７が設けられている。
切欠き３７は、係止部４６の頭部４６ａを挿入可能な挿入部３７ａと、首部４６ｂは挿通可能だが頭部４６ａは挿通不可な幅の円弧状の係止溝３７ｂとから構成されている。従って、係止部４６の頭部４６ａを挿入部３７ａから挿入し、係止部４６を相対的に回転させて頭部４６ａを係止溝３７ｂに移動させることにより、係止部４６をサスシャーシ３３に固定することができる。
【００２７】
以上のように構成された光ディスク装置１０Ｂについて、その動作を説明する。
まず、図４および図５に示すように、回動アーム３０が待機位置にある待機時には、支持部材４０Ｂの支持体４５は最下点にあって、回動アーム３０のサスシャーシ３３と干渉しないようになっている。
【００２８】
図６に示すように、回動アーム３０を回動させて記録再生位置に位置決めしたら、駆動モータ４７によって回転体４４を回転させる。これにより、図７に示すように、支持体４５の外周面側のカム突起４５ｂが筐体４３の内周面のカム溝４３ａの鉛直部分によって回転が阻止された状態で、内周面側のカム突起４５ａが回転体４４の外周面のカム溝４４ａに沿って移動するので、支持体４４は回転することなく上昇する。
これにより、支持体４４に設けられている係止部４６の頭部４６ａが、サスシャーシ３３に設けられている切欠き３７の挿入部３７ａに挿入される。
【００２９】
図８および図９に示すように、さらに回転体４４を回転させると、支持体４５の外周面側のカム突起４５ｂが上昇して筐体４３のカム溝４３ａの水平部分に移動するので、支持体４５は回転可能となって回転する。これにより、係止部４６の首部４６ｂが係止溝３７ｂに沿って移動するので、係止部４６はサスシャーシ３３に係止されることになる。
なお、記録再生が終了して回動アーム３０を待機位置に回動させて戻す際には、前述した手順を逆に行うことにより、係止部４６が切欠き３７から離脱して、サスシャーシ３３は移動可能となる。
【００３０】
以上のように本発明の第２の実施形態の光ディスク装置１０Ｂによれば、回動アーム３０のサスシャーシ３３を、支持部材４０Ｂを介して本体１３に支持するので、回動アーム３０の振動を抑制して振動特性を改善し、適正な記録再生を行うことができる。
【００３１】
なお、前述した実施形態にかかる光ディスク装置１０Ａ、１０Ｂにおいては、ラジオ２やカセットテープ再生装置３等を備えたカーオーディオ装置１に内蔵されている場合について説明したが、その他、光ディスク装置１０Ａ、１０Ｂが単独の場合についても同様に実施可能である。
また、ターンテーブル３１がサスシャーシ３３の下面側に設けられている場合には、支持部材４０Ａ、４０Ｂを本体１３の上部から下方へ伸長するように設けることにより、回動アーム３０の振動を抑制することも可能である。
【産業上の利用可能性】
【００３２】
以上のように、本発明に係る光ディスク装置は、光ディスクの軸線に沿って伸びて回動アームの先端部を本体に支持する支持部材を設けることにより、片持ち構造の回動アームの先端部を支持して両持ち構造とするので、回動アームの振動を防止して振動特性を改善することができるという効果を有し、複数のトレイに収納された複数の光ディスクから所望の光ディスクを選択して記録再生する多連装型の光ディスク装置等として有用である。
【図面の簡単な説明】
【００３３】
【図１】本発明の実施形態の光ディスク装置を内蔵するカーオーディオ装置の全体斜視図
【図２】本発明の実施の形態である光ディスク装置の図１中II−II位置から見た待機状態の平面図
【図３】（Ａ）本発明の第１の実施形態にかかる支持部材の待機状態を示す断面図  （Ｂ）本発明の第１の実施形態にかかる支持部材の支持状態を示す断面図
【図４】（Ａ）本発明の第２の実施形態にかかる支持部材の待機状態を示す平面図  （Ｂ）本発明の第２の実施形態にかかる支持部材の待機状態を示す断面図
【図５】本発明の第２の実施形態にかかる支持部材の待機時における平面図、側面図、断面図およびカム溝配置図
【図６】（Ａ）本発明の第２の実施形態にかかる支持部材の待機状態を示す平面図  （Ｂ）本発明の第２の実施形態にかかる支持部材の待機状態を示す断面図
【図７】本発明の第２の実施形態にかかる支持部材の伸長時における平面図、側面図、断面図およびカム溝配置図
【図８】（Ａ）本発明の第２の実施形態にかかる支持部材の待機状態を示す平面図  （Ｂ）本発明の第２の実施形態にかかる支持部材の待機状態を示す断面図
【図９】本発明の第２の実施形態にかかる支持部材の係止時における平面図、側面図、断面およびカム溝配置図図
【符号の説明】
【００３４】
１０  光ディスク装置
１２  光ディスク
１３  本体
２０  トレイ
３０  回動アーム
３１  ターンテーブル
３２  支軸
３４  光学ヘッド部
４０  支持部材
４２ａ  接触面
ＣＬ  軸線
【図１】
2006031810.tif 000003
【図２】
2006031810.tif 000004
【図３】
2006031810.tif 000005
【図４】
2006031810.tif 000006
【図５】
2006031810.tif 000007
【図６】
2006031810.tif 000008
【図７】
2006031810.tif 000009
【図８】
2006031810.tif 000010
【図９】
2006031810.tif 000011